(57)【要約】【課題】移動体パケット通信装置に対する特に計画的な保守作業などに際して、対象とされる装置に対する保守作業の速やかな開始が促進されて作業能率の向上が図られ、ユーザに対するサービスの低下を招来することのない移動体パケット通信装置およびこの移動体パケット通信装置の保守運用方法を実現する。【解決手段】外部からの運転停止操作に応答し、プリザベーション機能を有し冗長構成を成す複数のパケットデータ処理装置１２１，１２２のうち停止させる側のパケットデータ処理装置１２１に対する新規呼の受け付けを停止し、既存呼の処理のみ実行する予閉塞モードに遷移させるに際し、プリザベーション呼を強制解放して新規呼は稼動を継続するパケットデータ処理装置１２２に迂回させる。【選択図】      図１
2008294918.tif 000002
【特許請求の範囲】
【請求項１】
外部からの運転停止操作に応答して、プリザベーション機能を有し冗長構成を成す複数のパケットデータ処理装置のうち運転停止操作の対象とされるパケットデータ処理装置に対する新規呼の受け付けを停止し、既存呼の処理のみ実行する予閉塞モードに遷移するように構成された移動体パケット通信装置において、
前記運転停止操作に応答してプリザベーション状態にある呼に対し呼解放の制御を行う制御部を備えていることを特徴とする移動体パケット通信装置。
【請求項２】
前記制御部は、運転停止操作の対象となるパケットデータ処理装置に関するプリザベーション状態にある呼の探索を実行することを特徴とする請求項１に記載の移動体パケット通信装置。
【請求項３】
前記制御部は、前記運転停止指令に応答して運転停止操作の対象としたパケットデータ処理装置に関するプリザベーション状態にある呼の探索を実行し、該探索によって検出したプリザベーション状態にある呼を強制的に解放させるプリザベーション呼強制解放指令を当該パケットデータ処理装置に発することを特徴とする請求項１に記載の移動体パケット通信装置。
【請求項４】
前記制御部は、前記運転停止指令に応答して操作の対象とされる各装置に予閉塞通知を発する保守運用装置と、前記保守運用装置から受けた予閉塞通知に応じて運転停止操作の対象とした当該パケットデータ処理装置に新規呼の受付を停止させ、当該パケットデータ処理装置に関してプリザベーション状態にある呼の探索を実行し、且つ、該探索により検出したプリザベーション状態にある呼を強制的に解放させるプリザベーション呼強制解放指令を当該パケットデータ処理装置に発するパケット制御信号処理装置と、を含んで構成されていることを特徴とする請求項１に記載の移動体パケット通信装置。
【請求項５】
操作者からの運転停止操作を受付けて運転停止操作の対象としたパケットデータ処理装置に予閉塞通知を発する第１ステップと、
前記予閉塞通知に応じて運転停止操作の対象としたパケットデータ処理装置に新規呼の受付を停止させる第２ステップと、
前記新規呼の受付を停止させたパケットデータ処理装置でのプリザベーション状態にある呼の探索を実行させる第３ステップと、
前記プリザベーション状態にある呼の探索を実行したパケットデータ処理装置での前記探索によって検出したプリザベーション状態にある呼を解放させると共に所定の手順で運転停止操作の対象とした移動体通信端末に係る呼を解放させる第４ステップと、
前記運転停止操作の対象としたパケットデータ処理装置と共に冗長構成を成す他の稼動中のパケットデータ処理装置に新規呼を受付けさせる第５ステップと、
を含んで構成される移動体パケット通信装置の保守運用方法。
【発明の詳細な説明】
【技術分野】
【０００１】
本発明は、プリザベーション対応処理機能を備え、且つ、信頼性を確保するための冗長構成を有する移動体パケット通信装置およびこの移動体パケット通信装置の保守運用方法に関し、特に計画的な保守作業の能率向上が図られる移動体パケット通信装置およびこの移動体パケット通信装置の保守運用方法に関する。  
【背景技術】
【０００２】
呼接続装置から呼接続先装置への通信を中継する呼接続中継装置の異常が検出されたときには、該呼接続中継装置内の各部での接続処理を中止し処理をリセットする技術が提案されている。
この提案の技術によれば、呼接続に関する初期設定後の呼制御を、呼接続装置および呼接続先装置の呼接続状態を一致させつつ継続することができるとされている（特許文献１参照）。
一方、移動体パケットサービスの提供形態として、移動体通信端末と情報の供給に適用されるサーバ間で常時接続を維持しておく形態があるが、この接続形態の場合、パケットデータの送受信がない状態でも無線周波数を割り当てておく必要があり、無線伝送区間における電波の帯域を有効に利用することができない。
【０００３】
第３世代の移動体通信の標準化団体である３ＧＰＰでは、上述のような移動体通信端末とサーバ間で常時接続が維持されるような状態においても無線周波数を有効活用するために、一定時間パケットデータの送受信がない場合には移動体通信端末とネットワークとの間の無線区間のみは接続を解放し、移動体通信端末とサーバを含めたネットワーク内では接続状態を維持しておく、プリザベーション（Preservation）という機能を備えることが標準として規定されている（非特許文献１参照）。
【特許文献１】特開２００５−８０１９３号公報（段落００１０〜段落００１１、段落００１３〜段落００１６、段落００１９〜段落００２０、図１）
【非特許文献１】３ＧＰＰ標準  ＴＳ２３．０６０
【発明の開示】
【発明が解決しようとする課題】
【０００４】
一般に、上述の３ＧＰＰによる標準（ＴＳ２３．０６０）に準拠した移動体パケット通信装置では、信頼性を確保するために二重化など同仕様の装置を複数備える冗長構成を採用している。
このような移動体パケット通信装置では、装置の制御用ソフトウェアのバージョンアップ等の含む計画的なメンテナンス等における装置切替（停止）操作に際して、操作対象の装置における通信中の呼を即時に強制的に切断するのではなく、新規呼の受付を上述の冗長構成における他の装置に迂回させ、通信中呼の処理のみを一定時間継続し、ユーザの通信終了を待って呼が切断され、通信中の呼が少なくなってから（理想的には完全に無くなってから）強制解放を行うようにして該当する一つの装置における装置切替（停止）を行う予閉塞機能を備えている。
【０００５】
しかし、上述のような予閉塞機能においては、プリザベーションによって維持されている呼はユーザが端末の通信状態を解放するまで継続される。
このような予閉塞機能を持った移動体パケット通信装置では、予閉塞モードに遷移しても、このモードに遷移する以前から継続中である呼については、ユーザの通信終了により呼切断するまで待たなくてはプリザベーション状態の呼が解放されない。
【０００６】
即ち、プリザベーション状態の呼が解放されない限りは、通信中の呼が存在するものとして認識されるため、装置切替を実施するに十分な程度まで呼数が減少したものと判断される契機の到来が遅延する。
上述のような遅延は、計画的な保守作業の能率を著しく阻害するものとなっている。
本発明は上述のような状況に対処するべくなされたものであり、特に計画的な保守作業の能率向上が図られ、ひいては、ユーザに対するサービスの低下を招来することのない移動体パケット通信装置およびこの移動体パケット通信装置の保守運用方法を提供することを目的とする。
【課題を解決するための手段】
【０００７】
上記課題を解決するべく、本願では次に列記するような技術を提案する。
即ち、本発明の移動体パケット通信装置は、外部からの運転停止操作に応答して、プリザベーション機能を有し冗長構成を成す複数のパケットデータ処理装置のうち運転停止操作の対象とされるパケットデータ処理装置に対する新規呼の受け付けを停止し、既存呼の処理のみ実行する予閉塞モードに遷移するように構成された移動体パケット通信装置において、
前記運転停止操作に応答してプリザベーション状態にある呼に対し呼解放の制御を行う制御部を備えている。
【０００８】
上記の移動体パケット通信装置では、外部からの運転停止操作に応答して、予閉塞モードに遷移するが、この予閉塞モードでは、プリザベーション機能を有し冗長構成を成す複数のパケットデータ処理装置のうち運転停止操作の対象とされるパケットデータ処理装置に対する新規呼の受け付けが停止され、既存呼の処理のみ実行がされる。
そして特に、制御部によって、上述のプリザベーション状態にある呼に対し強制的に呼解放が行なわれる。
【０００９】
上記の移動体パケット通信装置における制御部は、運転停止操作の対象となるパケットデータ処理装置に関するプリザベーション状態にある呼の探索を実行するように構成され得る。
制御部によるこのようなプリザベーション呼の探索指令によって、強制的に解放する対象とされるプリザベーション状態にある呼の存否が探索される。
【００１０】
上記の移動体パケット通信装置における制御部は、また、前記運転停止指令に応答して運転停止操作の対象としたパケットデータ処理装置に関するプリザベーション状態にある呼の探索を実行し、該探索によって検出したプリザベーション状態にある呼を強制的に解放させるプリザベーション呼強制解放指令を当該パケットデータ処理装置に発するように構成され得る。
制御部によるこのようなプリザベーション呼の探索によって、強制的な解放の対象とされるプリザベーション状態にある呼の存否が探索され、更に、この探索で検出されたプリザベーション状態にある呼がプリザベーション呼強制解放指令に応じて強制解放される。
【００１１】
上記の移動体パケット通信装置における制御部は、前記運転停止指令に応答して操作の対象とされる各装置に予閉塞通知を発する保守運用装置と、前記保守運用装置から受けた予閉塞通知に応じて運転停止操作の対象とした当該パケットデータ処理装置に新規呼の受付を停止させ、当該パケットデータ処理装置に関してプリザベーション状態にある呼の探索を実行し、且つ、該探索により検出したプリザベーション状態にある呼を強制的に解放させるプリザベーション呼強制解放指令を当該パケットデータ処理装置に発するパケット制御信号処理装置と、を含んで構成され得る。
【００１２】
上述のような構成の制御部では、その保守運用装置によって、外部からの運転停止操作に応答して操作の対象とされる各装置に予閉塞通知が発せられ、且つ、そのパケット制御信号処理装置によって、上記保守運用装置から受けた予閉塞通知に応じて運転停止操作の対象とした当該パケットデータ処理装置に新規呼の受付を停止させプリザベーション状態にある呼の探索を実行させ且つ検出したプリザベーション状態にある呼を強制的に解放させる。
【００１３】
一方、本発明の移動体パケット通信装置の保守運用方法は、次のようなものである。即ち、操作者からの運転停止操作を受付けて運転停止操作の対象としたパケットデータ処理装置に予閉塞通知を発する第１ステップと、
前記予閉塞通知に応じて運転停止操作の対象としたパケットデータ処理装置に新規呼の受付を停止させる第２ステップと、
前記新規呼の受付を停止させたパケットデータ処理装置でのプリザベーション状態にある呼の探索を実行させる第３ステップと、
前記プリザベーション状態にある呼の探索を実行したパケットデータ処理装置での前記探索によって検出したプリザベーション状態にある呼を解放させると共に所定の手順で運転停止操作の対象とした移動体通信端末に係る呼を解放させる第４ステップと、
前記運転停止操作の対象としたパケットデータ処理装置と共に冗長構成を成す他の稼動中のパケットデータ処理装置に新規呼を受付けさせる第５ステップと、
を含んで構成される。
【００１４】
上述のような移動体パケット通信装置の保守運用方法では、第１ステップから第４ステップまでの過程で、ユーザの通信終了を待ってプリザベーション状態の呼を解放するのではなく、運転停止操作の対象としたパケットデータ処理装置に関するプリザベーション状態の呼を強制的に解放し、速やかに保守作業を開始することができると共に、冗長構成を成す他の稼動継続中のパケットデータ処理装置に新規呼を受付けさせるため、ユーザに対するサービスの質の低下も効果的に抑止される。
【発明の効果】
【００１５】
本発明によれば、移動体パケット通信装置に対する特に計画的な保守作業などに際して、対象とされる装置に対する保守作業の速やかな開始が促進され、従って、保守作業の能率向上が図られ、ひいては、ユーザに対するサービスの低下を招来することのない移動体パケット通信装置およびこの移動体パケット通信装置の保守運用方法が実現される。
【発明を実施するための最良の形態】
【００１６】
以下、図面を参照して本発明の実施の形態について詳述することにより本発明を明らかにする。
（本発明の実施の形態としての移動体パケット通信装置）
図１は、本発明の実施の形態としての移動体パケット通信装置を含む移動体パケット通信システムを表す機能ブロック図である。
移動体パケット通信装置１００は、第１データ線２１０、第２データ線２２０、および、制御線３１０で移動体通信網４００と接続され、移動体通信網４００と移動体通信端末５００とは無線伝送路６００によって結ばれている。
ここに、移動体通信網４００は無線基地局、無線制御装置、および、それらを接続する伝送路等を含んで構成される。
移動体通信端末５００は、上述の無線伝送路６００を通して、移動体通信網４００との間でパケット通信に関する制御信号およびパケットデータの授受を行う。
【００１７】
以上のような移動体パケット通信システムにおいて、移動体通信端末５００と通信の相手方となる例えばサーバ８００との間の通信経路は、移動体通信網４００からの呼接続要求信号を移動体パケット通信装置１００（後述するパケット制御信号処理装置１１０）で受付け、接続先のノードとなるＧＧＳＮ（Gateway GPRS Support Node）７００との信号送受を実施し、サーバ８００に接続するための情報の遣り取りをし、パケット制御信号処理装置１１０から該当するパケッデータ処理装置（後述）へ接続指示するようにして形成される。
【００１８】
移動体パケット通信装置１００は、移動体通信端末５００からのパケット呼接続に関する制御信号を処理するパケット制御信号処理装置１１０と、移動体通信端末５００との間で送受信されるパケットデータを処理する第１パケットデータ処理装置１２１および第２パケットデータ処理装置１２２と、これら第１パケットデータ処理装置１２１および第２パケットデータ処理装置１２２ならびに上述のパケット制御信号処理装置１１０の保守運用を行う保守運用装置１３０を含んで構成される。
【００１９】
第１パケットデータ処理装置１２１および第２パケットデータ処理装置１２２は、パケットデータの伝送（送信、受信）を行なう。
一方、パケット制御信号処理装置１１０は、パケットデータを伝送させるための制御を行なう。また、パケット制御信号処理装置１１０は、プリザベーション状態にある呼の現在時点での状況を表す情報を保持しているデータ保持部（メモリ）１１１を備えており、時々刻々のプリザベーション状態にある呼を認識可能に構成されている。
【００２０】
パケット制御信号処理装置１１０、第１パケットデータ処理装置１２１、および、第２パケットデータ処理装置１２２は、保守運用装置１３０とそれぞれ第１、第２、および、第３の内部制御線１３１，１３２，１３３で結ばれている。
更に、第１パケットデータ処理装置１２１、および、第２パケットデータ処理装置１２２は、パケット制御信号処理装置１１０と第４、および、第５の内部制御線１３４，１３５で結ばれている。
【００２１】
上述の構成において、第１パケットデータ処理装置１２１、第２パケットデータ処理装置１２２、パケット制御信号処理装置１１０、および、保守運用装置１３０は、通常、個々のハードウェアを備えた装置として構成され、これらがケーブル接続（図中、第１〜第５の内部制御線１３１〜１３５で接続）されて移動体パケット通信装置１００と称呼するシステムを構成している。
【００２２】
また、既述のように、移動体パケット通信装置１００と移動体通信網４００との間も制御信号線とデータ線とを含むケーブルによってケーブル接続され、このケーブルを通して、パケットの形で、例えば或るコンテンツを表すデジタルデータが伝送される。
本例では、第１パケットデータ処理装置１２１および第２パケットデータ処理装置１２２は、プリザベーション機能を有し２系統の冗長構成を成している。
【００２３】
この冗長構成では、通常の運転状態においては第１パケットデータ処理装置１２１および第２パケットデータ処理装置１２２は双方共に稼動しており、特に、計画的なメンテナンス作業等に際して、その作業の対象とされる一方の系統が停止され、作業期間中、他方の系統によって停止中の一方の系統に関する機能が担われ一定の水準で通信機能が維持される。
このような一方の系統の停止は、保守運用装置１３０に制御ケーブル等によって接続された（別体の）オペレーション操作卓（不図示）上の操作子に対するオペレータの操作（運転停止操作）によって発せられるオペレーションコマンドが外部から保守運用装置１３０に供給されることを起動の要因として実行される。
【００２４】
この種の一般的な装置におけると同様に、本実施の形態の移動体パケット通信装置１００でも、上述のような外部からの運転停止操作に応答して、プリザベーション機能を有し冗長構成を成す複数のパケットデータ処理装置（第１パケットデータ処理装置１２１および第２パケットデータ処理装置１２２）のうち運転停止操作の対象とされるパケットデータ処理装置（例えば第１パケットデータ処理装置１２１）に対する新規呼の受け付けを停止し、既存呼の処理のみ実行する予閉塞モードに遷移するように構成されている。
【００２５】
本実施の形態の移動体パケット通信装置１００では、上述の保守運用装置１３０およびパケット制御信号処理装置１１０は、これら双方によって制御部１５０を構成し、この制御部１５０が上述のような運転停止操作に応答してプリザベーション状態にある呼に対し呼解放の制御を行う。
このような、制御部１５０における保守運用装置１３０は、上述の運転停止指令に応答して、第１、第２、および、第３の内部制御線１３１，１３２，１３３を通して、パケット制御信号処理装置１１０、第１パケットデータ処理装置１２１、および、第２パケットデータ処理装置１２２に操作の対象とされる各装置に予閉塞通知を発する。
【００２６】
一方、制御部１５０におけるパケット制御信号処理装置１１０は、上述の運転停止指令に応答して運転停止操作の対象としたパケットデータ処理装置（例えば第１パケットデータ処理装置１２１）に関するプリザベーション状態にある呼の探索を実行する。
この探索は、パケットデータ処理装置（第１パケットデータ処理装置１２１）におけるプリザベーション状態にある呼の現在時点での状況を表す情報を保持しているパケット制御信号処理装置１１０内のデータ保持部（メモリ）１１１における該当する保持データについて検索するようにして実行される。
【００２７】
制御部１５０（そのパケット制御信号処理装置１１０）は、該探索によって検出したプリザベーション状態にある呼を強制的に解放させるプリザベーション呼強制解放指令を当該パケットデータ処理装置（第１パケットデータ処理装置１２１）に発し、このプリザベーション呼強制解放指令を受けたパケットデータ処理装置（第１パケットデータ処理装置１２１）が該当する呼を解放する。
図１の構成では、プリザベーション呼強制解放指令は、第４の内部制御線１３４を通して伝送される。
【００２８】
（移動体パケット通信装置の動作）
図２は、図１の移動体パケット通信装置の動作を表すシーケンス図である。次に図２を参照して図１の移動体パケット通信装置の動作について説明する。
今、３ＧＰＰで標準化されている公知の移動体パケット通信の呼接続手順により、移動体通信端末５００と移動体パケット通信装置１００との間で呼が成立し、３ＧＰＰ 標準ＴＳ２３．０６０に規定された手順により、移動体通信端末５００と移動体パケット通信装置１００との間で、呼がプリザベーション状態になっている。このとき、パケットデータの送受信は、第１パケットデータ処理装置１２１で行われているとする(ステップＳ１００)。
【００２９】
これ以降、移動体パケット通信装置１００は次の順次のステップを踏んで作動する。
即ち、第１パケットデータ処理装置１２１に対する予閉塞通知が保守運用装置１３０からパケット制御信号処理装置１１０と第１パケットデータ処理装置１２１に通知される(ステップＳ１０１)。
パケット制御信号処理装置１１０は、第１パケットデータ処理装置１２１への新規呼受付を停止させるべく第１パケットデータ処理装置１２１を制御する（ステップＳ１０２）。
【００３０】
更に、パケット制御信号処理装置１１０は、第１パケットデータ処理装置１２１に対し、処理されていた呼でプリザベーション状態となっている呼を探索（検索・抽出）するように制御を行う (ステップＳ１０３)。
ステップＳ１０３で抽出されたプリザベーション呼について、第１パケットデータ処理装置１２１に対し、そのプリザベーション呼の解放指示を行うと共に、3GPPで標準化されている公知の移動体パケット通信の呼解放手順により、移動体通信端末５００に係る呼解放を行う (ステップＳ１０４) 。
【００３１】
ステップＳ１０４で呼解放された移動体通信端末５００は、再度、3GPPで標準化されている公知の移動体パケット通信の呼接続手順により、移動体パケット通信装置１００との間で呼接続処理を行うが、移動体パケット通信装置１００では、ステップＳ１０２で第１パケットデータ処理装置１２１での新規呼受付が停止されているので、第２パケットデータ処理装置１２２で受け付けを行う(ステップＳ１０５)。
以上のようにして、予閉塞を実施した時点でプリザベーション状態の呼は強制解放し、運用中の別装置への（ユーザによる）再接続を促す。
【００３２】
上記再接続を促すについては、ユーザにガイドメッセージを呈示してもよいが、別段のメッセージは提供せずユーザによる自然な判断に委ねて再接続操作を待つようにしてもよく、本発明の技術思想としてはその促し方は問わない。
再接続の確立は、次のようにして行なわれる。即ち、移動体通信網４００からの呼接続要求信号をパケット制御信号処理装置１１０で受付け、接続先のノードとなるＧＧＳＮ７００との信号送受を実施し、接続するための情報の遣り取りをし、パケット制御信号処理装置１１０から第２パケッデータ処理装置１２２へ接続指示するようにして実行される。
【００３３】
（移動体パケット通信装置の保守運用方法）
図３は、本発明の移動体パケット通信装置の保守運用方法を表すフローチャートである。
先ず、第１ステップとして、操作者からの運転停止操作を受付けて運転停止操作の対象としたパケットデータ処理装置に予閉塞通知を発する（ステップＳ３０１）。
次いで、第２ステップとして、予閉塞通知に応じて、運転停止操作の対象としたパケットデータ処理装置に新規呼の受付を停止させる（ステップＳ３０２）。
更に、第３ステップとして、新規呼の受付を停止させたパケットデータ処理装置（例えば、第１パケットデータ処理装置１２１）でのプリザベーション状態にある呼の探索を実行させる（ステップＳ３０３）。
【００３４】
次いで、第４ステップとして、プリザベーション状態にある呼の探索を実行したパケットデータ処理装置での前記探索によって検出したプリザベーション状態にある呼を解放させると共に所定の手順で運転停止操作の対象とした移動体通信端末に係る呼を解放させる（ステップＳ３０４）。
更に、第５ステップとして、運転停止操作の対象としたパケットデータ処理装置と共に冗長構成を成す他の稼動中のパケットデータ処理装置に新規呼を受付けさせる（ステップＳ３０５）。
【００３５】
以上の本発明の移動体パケット通信装置の保守運用方法では上記第４ステップＳ３０４のように呼解放することにより、装置切替を実施する契機の判断を早期に行うことが可能となる。このため、保守作業の対象とされる装置に対する保守作業の速やかな開始が促進され、保守作業の能率向上が図られる。
また、第５ステップＳ３０５のように、運転停止操作の対象としたパケットデータ処理装置と共に冗長構成を成す他の稼動中のパケットデータ処理装置に新規呼を受付けさせるため、ユーザに対するサービスの低下を招来することのない移動体パケット通信装置およびこの移動体パケット通信装置の保守運用方法が実現される。
【産業上の利用可能性】
【００３６】
本発明は、移動体パケット通信装置の保守運用業務に利用することができる。
【図面の簡単な説明】
【００３７】
【図１】本発明の実施の形態としての移動体パケット通信装置を含む移動体パケット通信システムを表す機能ブロック図である。
【図２】図１の移動体パケット通信装置の動作を表すシーケンス図である。
【図３】本発明の移動体パケット通信装置の保守運用方法を表すフローチャートである。
【符号の説明】
【００３８】
１００…移動体パケット通信装置
１１０…パケット制御信号処理装置
１１１…データ保持部（メモリ）
１２１…第１パケットデータ処理装置
１２２…第２パケットデータ処理装置
１３０…保守運用装置
１３１…第１の内部制御線
１３２…第２の内部制御線
１３３…第３の内部制御線
１３４…第４の内部制御線
１３５…第５の内部制御線
１５０…制御部
２１０…第１データ線
２２０…第２データ線
３１０…制御線
４００…移動体通信網
５００…移動体通信端末
６００…無線伝送路
７００…ＧＧＳＮ  ８００…サーバ
【図１】
2008294918.tif 000003
【図２】
2008294918.tif 000004
【図３】
2008294918.tif 000005